(57)【要約】【課題】運用中のアルミ合金製の鉄道車両の外板表面に簡単にヘアライン加工を施す装置を提供する。【解決手段】簡易ヘアライン加工装置１００は、この軒部２０と床梁部３０に取付けられて案内されるフレーム１１０と、フレーム１１０に取付けられるヘアライン加工ヘッド２００を備える。作業者はフレーム１１０を車両の軒部２０と床梁部３０の間に嵌装させて、水平方向Ｈに移動し、加工ヘッド２００を操作してヘアライン加工を施して腐食部１４を補修する。【選択図】        図１
2004261901.tif 000002
【特許請求の範囲】
【請求項１】
車両の側構体の外表面にヘアライン加工を施す装置であって、
側構体の外表面に対して水平方向に摺動されるフレームと、フレームに対して垂直方向に位置決めされるヘアライン加工ヘッドを備える簡易ヘアライン加工装置。
【請求項２】
フレームは、上端部に設けられて車両構体の軒部分に吊り下げられるガイドローラと、下端部に設けられて車両構体の床梁部に当接されるガイドローラを備える請求項１記載の簡易ヘアライン加工装置。
【請求項３】
フレームは、複数本のチャンネル材を組み合せて構成される請求項１記載の簡易ヘアライン加工装置。
【請求項４】
ヘアライン加工ヘッドは、モータにより駆動される回転ワイヤブラシと、回転ワイヤブラシを側構体の外表面に対して、接離操作するためのハンドルを備える請求項１記載の簡易ヘアライン加工装置。
【発明の詳細な説明】
【０００１】
【発明の属する技術分野】
本発明は、構体がアルミ合金でつくられた鉄道車両の側外板に補修のためのヘアライン加工を施す際に使用する簡易ヘアライン加工装置に関する。
【０００２】
【従来の技術】
外板の表面に仕上げ加工を施す回転式の研磨ロールは、下記の特許文献に開示されている。
【０００３】
【特許文献１】
特開平１１−３４７９５４号公報
【０００４】
【発明が解決しようとする課題】
本発明は、運用中の鉄道車両の外板表面の補修のための簡易ヘアライン加工装置を提供するものである。
【０００５】
【課題を解決するための手段】
本発明のヘアライン加工装置は、車両の側構体の外表面に対して水平方向に摺動されるフレームと、フレームに対して垂直方向に位置決めされるヘアライン加工ヘッドを備える。
そして、フレームは、上端部に設けられて車両構体の軒部分に吊り下げられるガイドローラと、下端部に設けられて車両構体の床梁部に当接されるガイドローラを備え、複数本のチャンネル材を組み合せて構成される。
また、ヘアライン加工ヘッドは、モータにより駆動される回転ワイヤブラシと、回転ワイヤブラシを側構体の外表面に対して、接離操作するためのハンドルを備えるものである。
【０００６】
【発明の実施の形態】
図１は、本発明を適用するアルミ合金製の鉄道車両の側面図、図２は正面図である。
全体を符号１で示すアルミ合金製の鉄道車両は、尾根構体２、床構体４、側構体８、妻構体６等で構成される。
【０００７】
側構体８には、窓用の開口部１０やドア用の開口部１２が設けられる。
側構体８の表面は、最終工程でヘアライン加工を施して仕上げられる。
このヘアライン加工を施すことによって、アルミ合金製の構体の外板表面は美しい外観を呈し、無塗装で稼動することができる。
塗装を必要としないので、塗料と、塗装に要する費用を節約することができ、軽量化を図ることができる。
【０００８】
ヘアライン加工を施したアルミ合金製鉄道車両は運用中にヘアライン加工面に汚れや軽度の腐食部１４が発生することがある。
本発明の簡易ヘアライン加工装置は、この運用中の車両の側構体に補修用のヘアライン加工を容易に施すことができるものである。
車両の側構体８の上部には、雨樋の軒部２０があり、側構体８と床構体４との接続部である床構体４には側梁部３０が設けられる。
【０００９】
本発明の簡易ヘアライン加工装置１００は、この軒部２０と側梁部３０に取付けられて案内されるフレーム１１０と、フレーム１１０に取付けられるヘアライン加工ヘッド２００を備える。
【００１０】
図３は、簡易ヘアライン加工装置の正面図、図４は図３の右側面図である。
フレーム１１０は、垂直方向に配設される３本の縦フレーム部材１１２と水平方向に配設され、縦フレーム部材１１２との上端、下端、中間を連結する３本の横フレーム部材１１４を有する。縦フレーム１１２と横フレーム１１４はチャンネル材やパイプ材でつくられ、適宜の手段により連結されている。
フレーム１１０の上端には２個のガイドローラ１３０が取付けられ、下端にも２個のガイドローラ１５０が取付けられる。
【００１１】
上端のガイドローラ１３０は、雨樋の軒部２０に引っかけられて、横方向に移動する。下端のガイドローラ１５０は、床構体の側梁部３０に当接される。ガイドローラ１３０は縦断面形状が凹状で、この凹部に軒部２０の垂直片が入っている。
下端のガイドローラ１５０は、ハンドル１６０を有し、ハンドル１６０を操作することによって、ガイドローラ１５０の本体１５２を縦フレーム１１２に対して上下方向に位置を調整することができる。
【００１２】
この機構を利用して、車両の側構体の高さ寸法に合わせて、フレーム１１０を側構体８に沿って、矢印Ｈで示す水平方向に摺動可能に取り付けることができる。
ヘアライン加工ヘッド２００は、中央の縦フレーム１１２に対して矢印Ｖで示す垂直方向に摺動可能に支持される。
ヘアライン加工ヘッド２００は本体２１０を有し、ハンドル２２０で縦フレーム１１２に対して上下方向に位置決めすることができる。
【００１３】
加工ヘッド２００の本体２１０内にはモータが装備され、回転ワイヤブラシ２４０を駆動する。作業者は、本体２１０に取付けられた加工ハンドル２３０を操作して、側構体８の外板表面にヘアライン加工を施す。
【００１４】
図３において、車両の側構体の外表面に出現した汚れ又は腐食による腐食部１４に対して本装置を利用して、ヘアライン加工を施す操作を説明する。
まず、対象となる車両の側構体に対して、フレーム１１０を吊り下げる。車両の高さ寸法に合わせて、株ローラ１５０の上下位置を調節して、フレーム１１０がスムーズに水平方向に移動できるように調整する。
【００１５】
次に、加工ヘッド２００のハンドル２２０をゆるめて、加工ヘッド２００の本体２１０の高さ位置を腐食部１４の高さ位置に合わせ、ハンドル２２０を締め付けて、本体２１０を位置決めする。
本体２１０内のモータを起動して回転ワイヤブラシ２４０を駆動し、操作ハンドル２３０を操作して、腐食部１４に回転ワイヤブラシ２４０を当接しつつ、フレーム１１０を横方向に移動して、腐食部１４にヘアライン加工を施す。
【００１６】
上述した工程を繰り返すことで、全ての加工部に対して、又は側構体８の全てに対してヘアライン加工を施すことができる。
【００１７】
本発明の簡易ヘアライン加工装置は以上のように、アルミ合金製の鉄道車両の外表面に対して、簡単にヘアライン加工を施すことができる。
そこで、運用中の車両の補修も容易に行うことができ、車両の稼働率を向上することができる。
【図面の簡単な説明】
【図１】本発明を適用する鉄道車両の右側面図。
【図２】本発明を適用する鉄道車両の正面図。
【図３】簡易ヘアライン加工装置の正面図。
【図４】簡易ヘアライン加工装置の右側側面図。
【符号の説明】
１  鉄道車両
８  側構体
１４  腐食部
２０  軒部
３０  床梁部
１００  簡易ヘアライン加工装置
１１０  フレーム
２００  ヘアライン加工ヘッド
【図１】
2004261901.tif 000003
【図２】
2004261901.tif 000004
【図３】
2004261901.tif 000005
【図４】
2004261901.tif 000006